(57)【特許請求の範囲】
【請求項１】
元電源から主負荷および副負荷への電力供給を行う電源装置において，
元電源から供給された交流電力を整流する整流部と，
前記整流部により整流された電力を平滑化して主負荷への電力供給を行うアクティブフィルタ部と，
元電源から前記アクティブフィルタ部を介さずに副負荷へ電力を供給するとともに，その電力供給をスイッチングする副供給スイッチング素子と，
前記アクティブフィルタ部および前記副供給スイッチング素子を制御する制御部とを有し，
前記制御部は，
前記副供給スイッチング素子をオフからオンへ切り替えると，前記副供給スイッチング素子をオンからオフに最後に切り替えてから，あらかじめ定めた第１の長さの時間以上経過している場合に限り，前記アクティブフィルタ部を停止させるとともに，
その後あらかじめ定めた第２の長さの時間が経過すると前記アクティブフィルタ部の停止を解除するものであることを特徴とする電源装置。
【請求項２】
請求項１に記載の電源装置において，
前記制御部における前記第２の長さが，元電源の交流電力の１周期の長さ以下であることを特徴とする電源装置。
【請求項３】
請求項１または請求項２の電源装置において，
前記アクティブフィルタ部が能動素子を有し，
前記制御部は，前記能動素子をオフ状態に固定することにより前記アクティブフィルタ部を停止させるものであることを特徴とする電源装置。
【請求項４】
請求項１から請求項３までのいずれか１つの電源装置を搭載する画像形成装置において，  前記アクティブフィルタ部から電力の供給を受け，媒体にトナー画像を付与する画像形成部と，
前記副供給スイッチング素子を介して電力の供給を受け，前記画像形成部でトナー像の付与を受けた媒体にトナー像の熱定着を行う定着ヒータとを有することを特徴とする画像形成装置。
【請求項５】
請求項４に記載の画像形成装置において，
前記定着ヒータはハロゲンヒータであり，
前記制御部は，前記副供給スイッチング素子をゼロクロスによりスイッチングするものであることを特徴とする画像形成装置。
【発明の詳細な説明】
【技術分野】
【０００１】
本発明は，交流の元電源から２系統への電力供給を行う電源装置に関する。さらに詳細には，アクティブフィルタを介する第１の電力供給と，アクティブフィルタを介さない第２の電力供給とを行う電源装置に関するものである。さらには，上記の電源装置を搭載して，前記第２の電力供給により定着部のヒータを発熱させ，前記第１の電力供給によりそれ以外の部分を駆動するようにした画像形成装置に関するものである。
【背景技術】
【０００２】
従来から，１つの元電源から多系統への電力供給を行う電源装置が使用されている。例えば特許文献１の画像形成装置では，誘導加熱方式の定着ローラに対してＩＨインバータ等を介して電力供給を行うとともに，それ以外の部分に対してはＤＣ／ＤＣコンバータ等を介して電力供給を行うようにしている。誘導加熱方式以外の例えばハロゲンヒータを定着ローラの熱源として使用する画像形成装置でも同様に，ハロゲンヒータとそれ以外の部分とに別系統で電力供給しているものがある。
【先行技術文献】
【特許文献】
【０００３】
【特許文献１】特開２００４−７７６７４号公報
【発明の概要】
【発明が解決しようとする課題】
【０００４】
しかしながら前記した従来の技術には，２系統の電力供給部間で発生するノイズが重畳する場合があるという問題点があった。例えば交流の元電源からハロゲンヒータへそのまま交流を供給するとともに，それ以外の部分へは直流に整流するとともにアクティブフィルタで平滑化した直流を供給する場合がある。この場合，ハロゲンヒータへの電力供給のオンオフ切り替えにより発生するノイズと，アクティブフィルタ内で発生するノイズとが重畳してしまう。このため，ノイズ除去フィルタとして大掛かりなものが必要で，装置構成を複雑化させていた。
【０００５】
本発明は，前記した従来の技術が有する問題点を解決するためになされたものである。すなわちその課題とするところは，アクティブフィルタを介する第１の電力供給，および，アクティブフィルタを介さない第２の電力供給を行うとともに，これらの電力供給系統間でのノイズの重畳を防止するようにした電源装置を提供することにある。さらにはその電源装置を搭載した画像形成装置を提供することにある。
【課題を解決するための手段】
【０００６】
この課題の解決を目的としてなされた本発明の電源装置は，元電源から主負荷および副負荷への電力供給を行うものであって，元電源から供給された交流電力を整流する整流部と，整流部により整流された電力を平滑化して主負荷への電力供給を行うアクティブフィルタ部と，元電源からアクティブフィルタ部を介さずに副負荷へ電力を供給するとともに，その電力供給をスイッチングする副供給スイッチング素子と，アクティブフィルタ部および副供給スイッチング素子を制御する制御部とを有し，制御部は，副供給スイッチング素子をオフからオンへ切り替えるとアクティブフィルタ部を停止させるとともに，その後あらかじめ定めた長さの時間が経過するとアクティブフィルタ部の停止を解除するものである。
【０００７】
このようにすることで，主負荷と副負荷への２系統の電力供給を行いつつ，副負荷への電力供給が開始されてから所定の期間内に限り，アクティブフィルタ部が停止することになる。この期間は，アクティブフィルタ部と副負荷とでノイズが重畳しやすい時間帯だからである。これにより，ノイズの重畳を回避している。
【０００８】
ここで，副供給スイッチング素子をオンからオフに最後に切り替えてから，あらかじめ定めた時間以上経過している場合に限り，アクティブフィルタ部の停止を行う。直前まで副負荷が通電されていたのであれば，副負荷への電力供給を再開してもさほど大きなノイズが生じないからである。
【０００９】
ここにおいて，アクティブフィルタ部の停止からその解除までの時間の長さは，元電源の交流電力の１周期の長さ以下であるとよい。このように短い期間内に限りアクティブフィルタ部を停止させるだけであるなら，主負荷への電力供給にほとんど支障がないからである。
【００１０】
また，アクティブフィルタ部が能動素子を有し，制御部は，能動素子をオフ状態に固定することによりアクティブフィルタ部を停止させるものであることが望ましい。この能動素子はアクティブフィルタ部の昇圧機能等を担うが，これをオフ状態に固定することで，アクティブフィルタ部からのノイズの発生を停止させることができるからである。
【００１１】
本発明の画像形成装置は，本発明の電源装置を搭載しており，アクティブフィルタ部から電力の供給を受け，媒体にトナー画像を付与する画像形成部と，副供給スイッチング素子を介して電力の供給を受け，画像形成部でトナー像の付与を受けた媒体にトナー像の熱定着を行う定着ヒータとを有するものである。定着ヒータへの通電開始時の突入電流によるノイズが発生するので，そのタイミングでアクティブフィルタ部を停止させることでノイズの重畳を回避できる。
【００１２】
ここで，定着ヒータの典型例はハロゲンヒータであり，制御部は，副供給スイッチング素子をゼロクロスによりスイッチングすることが好ましい。ゼロクロススイッチング自体も突入電流ノイズを低減するための技術であるが，その場合でもノイズを完全に防止できるわけではない。そのため本発明を適用することの意義がある。
【発明の効果】
【００１３】
本発明によれば，アクティブフィルタを介する第１の電力供給，および，アクティブフィルタを介さない第２の電力供給を行うとともに，これらの電力供給系統間でのノイズの重畳を防止するようにした電源装置が提供されている。さらには，その電源装置を搭載した画像形成装置が提供されている。
【図面の簡単な説明】
【００１４】
【図１】本形態に係る画像形成装置の構成図である。
【図２】本形態の画像形成装置の電源装置の構成を示す回路図である。
【図３】本形態の電源装置におけるアクティブフィルタ部の停止制御の参考例を示すフローチャートである。
【図４】本形態の電源装置におけるアクティブフィルタ部の停止制御を示すフローチャートである。
【発明を実施するための形態】
【００１５】
以下，本発明を具体化した実施の形態について，添付図面を参照しつつ詳細に説明する。本形態は，図１に示す画像形成装置およびその電源装置に，本発明を適用したものである。
【００１６】
図１に示す本形態の画像形成装置５０１は，装置内の下部に給紙トレイ５０２を備えている。給紙トレイ５０２は，印刷用紙等の記録媒体を格納するものである。画像形成装置５０１は，給紙トレイ５０２から記録媒体を一枚ずつ取り出してそれに画像を形成して排出する装置である。そのため画像形成装置５０１には，給紙トレイ５０２から記録媒体を一枚ずつ取り出す給紙ローラ５１０ａ，取り出した記録媒体を画像形成部へ搬送する搬送ローラ５１０ｂ，５１０ｃが設けられている。
【００１７】
画像形成装置５０１における画像形成部は，レーザユニット５０３，４色の感光体５０５ａ，５０５ｂ，５０５ｃ，５０５ｄ，４色の現像ユニット５０４ａ，５０４ｂ，５０４ｃ，５０５ｄ，中間転写ベルト５０６，転写ローラ５１０ｄ，４色のトナーボトル５０７ａ，５０７ｂ，５０７ｃ，５０７ｄ，その他公知の要素を含んでいる。
【００１８】
これにより，次のようにして画像を形成するようになっている。すなわち，レーザユニット５０３が，画像データに従い４色の感光体５０５ａ，５０５ｂ，５０５ｃ，５０５ｄを露光して潜像を形成する。そして４色の現像ユニット５０４ａ，５０４ｂ，５０４ｃ，５０４ｄによりそれぞれの潜像を現像してトナー像とする。それらのトナー像は中間転写ベルト５０６上に重ね合わせられ，転写ローラ５１０ｄにより記録媒体上に転写される。これにより，記録媒体にトナー像が付与されるのである。現像ユニット５０４ａ，５０４ｂ，５０４ｃ，５０５ｄ内のトナーが減少すると，４色のトナーボトル５０７ａ，５０７ｂ，５０７ｃ，５０７ｄからそれぞれの色のトナーが補充されるようになっている。
【００１９】
画像形成装置５０１はこれらの他，定着器５０８と排紙ローラ５１０ｅとを有している。定着器５０８は，記録媒体上に付与されたトナー像を加熱および加圧により溶融して記録媒体上に定着させるものである。その熱源としては後述するハロゲンヒータを用いるようになっている。排紙ローラ５１０ｅは，トナー像の定着が済んだ記録媒体を機外に排出するものである。
【００２０】
画像形成装置５０１はさらに，メインモータ５０９ａ，定着モータ５０９ｂ，黒現像モータ５０９ｃ，カラー現像モータ５０９ｄ，カラー感光体モータ５０９ｅを有している。メインモータ５０９ａは，給紙ローラ５１０ａ，搬送ローラ５１０ｂ，５１０ｃ，中間転写ベルト５０６，黒感光体５０５ｄの駆動を担当する。定着モータ５０９ｂは，定着器５０８のローラ駆動を行う。黒現像モータ５０９ｃは，黒現像ユニット５０４ｄの回転部分の駆動を行う。カラー現像モータ５０９ｄは，イエロー，マゼンタ，シアンの現像ユニット５０４ａ，５０４ｂ，５０４ｃの回転部分の駆動を行う。カラー感光体モータ５０９ｅは，イエロー，マゼンタ，シアンの感光体５０５ａ，５０５ｂ，５０５ｃの駆動を行う。
【００２１】
画像形成装置５０１の電源装置の構成を図２に示す。図２の電源装置は，装置外の外部電源Ｖａｃから５０Ｈｚの交流電力を受けて作動するものである。図２の電源装置の主な構成要素は，アクティブフィルタ部ＡＦ，トライアックＴＲＩＡＣ，制御部ＣＰＵである。
【００２２】
アクティブフィルタ部ＡＦは，画像形成装置５０１のメインモータ５０９ａ，定着モータ５０９ｂ，黒現像モータ５０９ｃ，カラー現像モータ５０９ｄ，カラー感光体モータ５０９ｅへ直流電力を供給するための部分である。このためアクティブフィルタ部ＡＦの前側には，ダイオードＤ１〜Ｄ４が設けられている。ダイオードＤ１〜Ｄ４は整流部を構成しており，外部電源Ｖａｃの交流電力を全波整流してアクティブフィルタ部ＡＦに入力するものである。
【００２３】
アクティブフィルタ部ＡＦは，高い力率でこの脈流を平滑化するため，一旦昇圧しつつ平滑化を行うようになっている。その詳細は後述する。そして，アクティブフィルタ部ＡＦで昇圧された直流を降圧してモータ類に供給するため，アクティブフィルタ部ＡＦの後ろ側には，トランスＴ１，ＭＯＳトランジスタＱ２，ダイオードＤ６，コンデンサＣ２が配置されている。アクティブフィルタ部ＡＦの後ろ側のこれらの素子群は，ＤＣ−ＤＣコンバータを構成している。
【００２４】
アクティブフィルタ部ＡＦにおけるハイライン（ダイオードＤ１，Ｄ２のカソード側のライン）には，入力側から順にリアクトルＬ１，ダイオードＤ５が直列に配置されている。一方ローライン（ダイオードＤ３，Ｄ４のアノード側のライン）には，抵抗Ｒ３が配置されている。抵抗Ｒ３は，アクティブフィルタ部ＡＦの出力電流を検出するものである。そして，ハイラインにおけるリアクトルＬ１の上流側の位置と，ローラインにおける抵抗Ｒ３の上流側の位置との間には，抵抗Ｒ１，Ｒ２が直列に接続されて配置されている。抵抗Ｒ１，Ｒ２は，アクティブフィルタ部ＡＦにおける入力電圧を分圧した電圧である交流電流位相信号Ｖａｃｐｈを出力するものである。
【００２５】
また，ハイラインにおけるリアクトルＬ１とダイオードＤ５の間の位置と，ローラインにおける抵抗Ｒ３の下流側の位置との間には，ＭＯＳトランジスタＱ１が配置されている。さらに，ハイラインにおけるダイオードＤ５の下流側の位置と，ローラインにおける抵抗Ｒ３の下流側の位置との間には，コンデンサＣ１，抵抗Ｒ４，Ｒ５が配置されている。このうちの抵抗Ｒ４，Ｒ５が直列に接続されており，これらの直列体に対してコンデンサＣ１が並列に配置されている。抵抗Ｒ４，Ｒ５は，アクティブフィルタ部ＡＦにおける出力電圧Ｖｄｃを分圧した電圧である帰還電圧信号Ｖｄｃｆｂを出力するものである。
【００２６】
アクティブフィルタ部ＡＦにはさらに，アンプＡ１，乗算器ＭＵＬ，アンプＡ２，三角波発振器ＯＳＣ１，比較器ＣＭＰ１，アンド演算器ＡＮＤが設けられている。アンプＡ１は，帰還電圧信号Ｖｄｃｆｂを昇圧電圧指令Ｖｄｃ＊と比例積分制御するものである。昇圧電圧指令Ｖｄｃ＊は，あらかじめ設定された固定電圧である。アンプＡ１の出力Ｖｄｃａｏは，交流電流位相信号Ｖａｃｐｈとともに乗算器ＭＵＬに入力される。これにより，出力Ｖｄｃａｏと交流電流位相信号Ｖａｃｐｈとが乗算される。その出力電流信号Ｉｄｃ＊はアンプＡ２で，抵抗Ｒ３により検出された検出電流Ｉｄｃｆｂと比例積分制御される。
【００２７】
アンプＡ２の出力Ｉｄｃａｏは比較器ＣＭＰ１で，三角波発振器ＯＳＣ１から出力されるキャリア信号と比較される。比較器ＣＭＰ１はこの比較結果により，ＭＯＳトランジスタＱ１をオンオフ操作するためのＰＷＭデューティ信号である出力Ｑ１ｏｎ＊を生成する。出力Ｑ１ｏｎ＊は，制御部ＣＰＵから出力されるアクティブフィルタオンオフ信号ＰＦＣＣとともにアンド演算器ＡＮＤに入力される。アンド演算器ＡＮＤの出力信号ＰＦＣＯＮ，すなわち出力Ｑ１ｏｎ＊とアクティブフィルタオンオフ信号ＰＦＣＣとの論理積が，ＭＯＳトランジスタＱ１のゲート入力信号となる。アクティブフィルタオンオフ信号ＰＦＣＣは後述するように特別な場合を除いてオンであるため，実質的に出力Ｑ１ｏｎ＊によりＭＯＳトランジスタＱ１がオンオフ操作されることとなる。
【００２８】
ＭＯＳトランジスタＱ１がオンであるとき，リアクトルＬ１に電流が流れる。そしてＭＯＳトランジスタＱ１がオフであるとき，リアクトルＬ１はその電流を維持しようとするので，コンデンサＣ１に電荷が蓄積される。この反復により，約４００Ｖ程度の一定値に昇圧した出力電圧Ｖｄｃ（コンデンサＣ１の両端電圧）が得られる。この電圧Ｖｄｃがアクティブフィルタ部ＡＦの出力電圧である。かつ，そのときの力率はほとんど１に近い高い値である。
【００２９】
つまりリアクトルＬ１は，電流が流されることによりエネルギーを保有する素子である。コンデンサＣ１は，エネルギーを蓄積する機能を有する素子である。ＭＯＳトランジスタＱ１は，そのオンオフの反復により，リアクトルＬ１のエネルギーをコンデンサＣ１に蓄積させる能動素子である。ＭＯＳトランジスタＱ１のオンオフの反復により，コンデンサＣ１にエネルギーを蓄積させ，電圧を昇圧させるようになっている。
【００３０】
この出力電圧Ｖｄｃが，前述のトランスＴ１等により構成されるＤＣ−ＤＣコンバータで２４Ｖに降圧してモータ類に供給されるのである。すなわち，アクティブフィルタ部ＡＦの両出力端子間には，トランスＴ１の１次コイルとＭＯＳトランジスタＱ２とが直列に配置されている。そして，トランスＴ１の２次コイルのハイライン（２４Ｖ）には，ダイオードＤ６が配置されている。さらに，ダイオードＤ６の下流側とトランスＴ１の２次コイルのローライン（ＧＮＤ）との間には，コンデンサＣ２が配置されている。ここにおいて，ＭＯＳトランジスタＱ２をオンオフすることにより，約４００Ｖの出力電圧Ｖｄｃが降圧されてトランスＴ１の２次側に伝達されるのである。むろん，トランスＴ１の１次側と２次側とは絶縁されている。かくして，２４Ｖの一定電圧を得ている。
【００３１】
一方，トライアックＴＲＩＡＣは，画像形成装置５０１の定着器５０８のハロゲンヒータＨ１への電力供給をオンオフするスイッチング素子である。すなわち，ハロゲンヒータＨ１には，外部電源Ｖａｃの交流電力が，アクティブフィルタ部ＡＦもその前側の整流部も介さずに供給されるようになっている。ここにおいて，ハロゲンヒータＨ１への電力供給経路にトライアックＴＲＩＡＣが配置されているのである。なおハロゲンヒータＨ１は，電源装置の一部ではなく，定着器５０８の構成要素の１つである。
【００３２】
制御部ＣＰＵは，トライアックＴＲＩＡＣへの操作信号Ｔｒｏｎ＊と，アクティブフィルタオンオフ信号ＰＦＣＣとを出力するものである。制御部ＣＰＵによるトライアックＴＲＩＡＣの制御は，定着器５０８を一定の定着温度に保つための制御である。ここでトライアックＴＲＩＡＣのオンオフ切替は，ゼロクロス時に行われるようになっている。ハロゲンヒータＨ１への電流印加のオンオフにより発生するノイズを低減するためである。一方，制御部ＣＰＵによるアクティブフィルタ部ＡＦの制御は，通常時にはその動作を許容し，後述する特別な場合に限りその動作を一時的に停止させることである。
【００３３】
制御部ＣＰＵによるアクティブフィルタ部ＡＦの制御について詳述する。まず，図３に示す参考例のフローチャートに従う制御を説明する。画像形成装置５０１のメインスイッチがオンされることにより，この制御が開始される。以後，メインスイッチがオフされるか外部電源Ｖａｃから切り離されるまでずっと，この制御は続けられる。
【００３４】
この制御が開始されるとすぐに，制御部ＣＰＵは，アクティブフィルタオンオフ信号ＰＦＣＣをオンにする（Ｓ１）。すなわち，アクティブフィルタ部ＡＦの動作を開始させる。これにより，画像形成装置５０１の各モータ類が駆動可能な状態となる。また，同時に操作信号Ｔｒｏｎ＊による定着器５０８の温度制御も開始する。定着器５０８を所定の定着温度まで昇温させ，その温度が良好な範囲内に保たれるように，適宜，ハロゲンヒータＨ１への電流印加のオンオフを切り替える。これにより画像形成装置５０１は，印刷指令に従い画像形成が可能な状態となる。
【００３５】
次に制御部ＣＰＵは，操作信号Ｔｒｏｎ＊のオフからオンへの切り替えがなされたか否かを判断する（Ｓ２）。オフからオンへの切り替えがなされていなければ（Ｓ２：Ｎｏ），Ｓ４以下へ進むことなく再びＳ２の判断を反復する。すなわち操作信号Ｔｒｏｎ＊の状況を監視する。この状態では，アクティブフィルタ部ＡＦの動作は継続している。
【００３６】
操作信号Ｔｒｏｎ＊のオフからオンへの切り替えがなされると（Ｓ２：Ｙｅｓ），制御部ＣＰＵは，アクティブフィルタオンオフ信号ＰＦＣＣをオフに切り替える（Ｓ４）。するとアクティブフィルタ部ＡＦでは，信号ＰＦＣＯＮが，出力Ｑ１ｏｎ＊の値如何に関わらずオフに固定されてしまう。このため，ＭＯＳトランジスタＱ１のオンオフ反復が停止され，オフに固定される。これにより，アクティブフィルタ部ＡＦの動作が停止する。なお，Ｓ２でＹｅｓと判断されるのは，操作信号Ｔｒｏｎ＊がオフからオンへ切り替えられたときだけである。オンであり続けているときや，オンからオフに切り替えられたとき，オフであり続けているとき，のいずれでも，Ｓ２の判断はＮｏである。
【００３７】
そしてその状態で２０ミリ秒待機する（Ｓ５）。その後，アクティブフィルタオンオフ信号ＰＦＣＣをオンに切り替える（Ｓ６）。これにより，アクティブフィルタ部ＡＦの動作が再開される。そして再びＳ２へ戻り，操作信号Ｔｒｏｎ＊の状況を監視する状態となる。
【００３８】
ここにおいてＳ５の２０ミリ秒の間は，アクティブフィルタ部ＡＦの動作が停止しているが，ＤＣ−ＤＣコンバータの出力電圧にはほとんどその影響は現れない。ＭＯＳトランジスタＱ１のオンオフ反復が停止されといっても，コンデンサＣ１に蓄積された電荷が直ちに消滅するわけではないからである。このため２０ミリ秒程度ではアクティブフィルタ部ＡＦの出力電圧Ｖｄｃにも，２次側電圧（２４Ｖ）もほとんど下がらない。したがって，画像形成装置５０１の画像形成動作には支障がない。
【００３９】
ここで２０ミリ秒とは，外部電源Ｖａｃ（５０Ｈｚ）の１周期である。アクティブフィルタ部ＡＦの動作が停止する時間がこの１周期の時間を超えなければ，画像形成装置５０１の各部への電力供給に支障がないからである。
【００４０】
このようにアクティブフィルタ部ＡＦを停止させる理由は，ノイズ対策である。アクティブフィルタ部ＡＦでは，ＭＯＳトランジスタＱ１とその近くのダイオードＤ５等とでループが形成されている。このためアクティブフィルタ部ＡＦの動作中，ＭＯＳトランジスタＱ１のオンオフ反復により不可避的にノイズが発生しているのである。一方，ハロゲンヒータＨ１への通電が開始されると，その突入電流によりこちらからもノイズが発生する。前述のようにこのオンオフ切替はゼロクロス切替とされておりノイズの低減が図られている。しかしそれでもある程度のノイズの発生は避けられない。
【００４１】
このため，ハロゲンヒータＨ１への通電が開始されてもアクティブフィルタ部ＡＦの動作を継続していると，両者のノイズが重畳してしまう。このノイズの重畳を回避するために本形態では，前述のＳ４の制御を行うこととしたのである。このため本形態の画像形成装置５０１では，ノイズ除去フィルタはそれほど大掛かりなものでなくてよい。なお，ハロゲンヒータＨ１への通電開始から２０ミリ秒程も経てば，ハロゲンヒータＨ１のノイズは収まってしまう。よってその後はアクティブフィルタ部ＡＦの動作を再開させてもよい。
【００４２】
上記のアクティブフィルタ部ＡＦの一時停止制御を，図３のフローチャートの代わりに図４のフローチャートに従って行うのが本発明である。図４のフローチャートの図３のフローチャートに対する相違点は，Ｓ２：ＹｅｓとＳ４との間にＳ３の判断が挿入されている点だけである。残りの部分は同じである。そこでこの相違点について説明する。
【００４３】
図４のフローチャートでは，Ｓ２：Ｙｅｓの判断がなされても，直ちにＳ４へ進むのではなく，その前にＳ３の判断を行う。Ｓ３では，操作信号Ｔｒｏｎ＊の前回のオンからオフへの切り替えから１０秒以上経過しているか否かを判断する。Ｓ３の判断がＮｏであった場合には，Ｓ２：Ｎｏの場合と同様に，Ｓ４以下へ進むことなく再びＳ２の判断を反復する。Ｓ３の判断がＹｅｓであった場合に限り，Ｓ４以下のアクティブフィルタ部ＡＦの停止制御がなされることとなる。
【００４４】
Ｓ３でＮｏと判断される場合というのは，ハロゲンヒータＨ１がオフされてから１０秒経過する前に再びオンされた場合である。このような場合には，ハロゲンヒータＨ１がまだあまり冷えておらず，比較的温度が高い状態にある。このためハロゲンヒータＨ１の電気抵抗が高く，この高抵抗により突入電流が緩和されるのである。よって，アクティブフィルタ部ＡＦの停止制御を敢えて行うまでもないのである。
【００４５】
Ｓ３でＹｅｓと判断される場合というのは，ハロゲンヒータＨ１がオフされてから１０秒以上経過してからようやくオンされた場合である。このような場合には，ハロゲンヒータＨ１がかなり冷えて常温に近づいた状態になっている。このためハロゲンヒータＨ１の電気抵抗が下がっており，突入電流が顕著に流れることになる。よって，アクティブフィルタ部ＡＦの停止制御を行う必要がある。むろん，ここでの１０秒というのは一例であり，使用するハロゲンヒータＨ１の種類等に応じてあらかじめ適切な値を定めておけばよい。
【００４６】
以上詳細に説明したように本実施の形態では，外部電源Ｖａｃの交流電力を受けて，アクティブフィルタ部ＡＦを介して画像形成装置５０１の各モータ類への電力供給を行うこととしている。そしてそれとは別に，アクティブフィルタ部ＡＦを介さずして定着器５０８のハロゲンヒータＨ１への電力供給を行うこととしている。ここにおいて，ハロゲンヒータＨ１への電力供給が開始されたときには，それから外部電源Ｖａｃの交流の１周期以内の時間にわたってアクティブフィルタ部ＡＦを停止させることとしている。これにより，アクティブフィルタ部ＡＦのスイッチングノイズとハロゲンヒータＨ１の突入電流ノイズとの重畳を回避している。かくして，大掛かりなノイズ対策を要しない電源装置およびそれを用いた画像形成装置が実現されている。
【００４７】
さらに，上記のアクティブフィルタ部ＡＦの停止を，ハロゲンヒータＨ１がオフされてから１０秒以上経過してからオンされた場合に限り行うことで，アクティブフィルタ部ＡＦの停止処理の実施を最小限で済ませることができる。
【００４８】
なお，本実施の形態は単なる例示にすぎず，本発明を何ら限定するものではない。したがって本発明は当然に，その要旨を逸脱しない範囲内で種々の改良，変形が可能である。
【００４９】
例えば，画像形成装置は，定着部を有するものであればなんでもよく，モノクロ機や４サイクル機でもよい。使用するトナーの種類も問わない。また，定着器の熱源としては，ハロゲンヒータに限らず，抵抗加熱現象を伴うものであれば他のものでもよい。また，ＭＯＳトランジスタＱ１，Ｑ２の代わりに他の種類の能動素子を用いるものであってもよい。アクティブフィルタ部ＡＦの構成自体も，図２の回路図中のものと異なる構成であってもよい。また，整流部は半波整流のものであってもよい。また，アクティブフィルタ部ＡＦの出力Ｖｄｃを，ＤＣ−ＤＣコンバータを介さずに直接に負荷に供給するものであってもよい。
【符号の説明】
【００５０】
５０１              画像形成装置
５０４ａ〜５０４ｄ  現像ユニット
５０５ａ〜５０５ｄ  感光体
５０６              中間転写ベルト
５０８              定着器
５０９ａ〜５０９ｅ  モータ類
ＡＦ                アクティブフィルタ部
ＣＰＵ              制御部
Ｄ１〜Ｄ４          ダイオード（整流部）
Ｈ１                ハロゲンヒータ
Ｑ１                ＭＯＳトランジスタ
ＴＲＩＡＣ          トライアック
【図１】
0005556165.tif 000002
【図２】
0005556165.tif 000003
【図３】
0005556165.tif 000004
【図４】
0005556165.tif 000005